(57)【特許請求の範囲】
【請求項１】
各種の目的で使用される屋内施設の天井面及び該天井面に取り付けられた複数の照明具を保護すべく天井面に沿って吊り張りされたネット等の吊張体と、該吊張体の照明具に対応する部分に設けられた開口部と、該開口部を閉塞するための閉塞手段とからなり、閉塞手段が開口部を閉塞する別体のネット体を平行状態に吊り張りしたガイドワイヤーに挿通し、ネット体の一方側をガイドワイヤーに固定し、対向する他方側をガイドワイヤーに並行して吊り張りしたウインチワイヤーに連結し、ウインチワイヤーに設けられたウインチを駆動して同時に複数の開口部を閉塞又は開放すべく構成され、且つ吊張体の全体又は１部が天井面に沿って平行移動すべく構成されていることを特徴とする屋内のネット等の吊張体の移動装置。
【発明の詳細な説明】
【発明の技術分野】
【０００１】  本発明は、野球の室内（雨天）練習場、室内テニス、バスケットボール等の練習場又は球技場として使用する大空間部の天井面及び該天井面に設けられた照明具を保護するための屋内のネット等の吊張体及び吊張体の移動装置に関する。
【技術背景】
【０００２】  近年、天候に左右されることなく使用することを目的として大きな空間部を有する屋内施設が建設されている。例えば、野球の雨天練習場として使用する屋根付き練習場、試合場又はコンサート等の各種イベントを開催するのに使用する屋根付き球場（通称、ドーム球場という）である。
【０００３】  このような大空間部を有する屋内施設では使用目的に応じて、空間部をネット又はシート（以下、ネットと略す）で多面に間仕切したり、観客席部分側にボールが飛び込むのを防いだりして使用している。例えば、野球の練習用として使用する場合は、練習効率を上げるために（内野外野の守備練習とフリーバッテング／トスバッテング等の打撃練習とを同時に行う場合、又は投球練習とを同時に行う場合等）空間部をネットで多面に間仕切して使用している。また、テニスやバスケットの練習試合用として使用する場合は他のコートにボールが入らないようにそれぞれのコート間をネットで間仕切したり、また、観客席がある空間部では、観客席の前面に防球用としてネットを吊り張りしている。
【０００４】  上記ネットを間仕切り用又は防球用として使用する場合は、屋内施設の天井面又は周側面と空間部とにそれぞれ、固定式ネットと移動式のネットとを組み合わせることで設置している。一般に空間部で使用される間仕切り用ネットは、開閉方式の移動用ネットを選択し、天井面又は周側面の防球用ネットは、その面に沿って取付具に取り付けられた固定式ネットを選択している。
【０００５】  上記移動式のネットに使用する装置としては、例えば、特許第３５０７９４９号に開示された装置がある。
この装置の構成の概略を説明すると、屋内施設の円弧状の天井側に沿って設けられたエンドレス状のウインチワイヤーと、該ウインチワイヤーを移動するウインチと、前記ウインチワイヤーに沿って並行に設けられたガイドワイヤーと、該ガイドワイヤーに移動自在に挿通され、先端側をウインチワイヤーに連結されたネットとから構成されている。
【０００６】  その作用は、ウインチを駆動することで、天井側に沿って設けられたウインチワイヤーをエンドレス状に移動する。これにより、ガイドワイヤーに設けられたネットの先端側がウインチワイヤーの移動に対応して引っ張られることとなり、ガイドワイヤーに移動自在に挿通されたネットをガイドワイヤーに沿って並行移動して空間部を区画（間仕切り）する。ネットを収納する場合は、ウインチを前記と逆方向に駆動することでウインチワイヤーを逆方向に移動する。これによりネットはガイドワイヤーに沿って逆方向に移動することとなり、元の位置にネットを収納する。
【０００７】  また、移動式ネット装置の他の例としては、特許第３５１３６１７号に記載の装置がある。この装置は、上記のように設置されたウインチワイヤーに複数の吊り上げワイヤーを取り付け、該吊り上げワイヤーにネットの上端部を取り付けることで、ウインチワイヤーを移動してネットを昇降移動してネットで空間部を区画（間仕切り）する。
【０００８】  天井面に設けられた固定式ネットは、天井面にある梁に沿って取り付けられた複数の取付具にネットを取り付けることで天井面をネットで被覆するように吊り張りする。この天井面の固定式ネットは、さらに天井面に設置されている複数の照明具に対応した位置に開口部が設けられているネットと、開口部が設けられていないネットとに分類される。
【０００９】  上記開口部のない固定式ネットは、照明具のメンテナンスの時にその部分に対応する部分のネットを取付具より離脱させて作業できる開放部を作り、照明具のメンテナンスを行っている。また、開口部のある固定式ネットの場合は、その開口部より照明具のメンテナンスを行っている。
【００１０】  近年は安全性のために上記のような高所での作業をなくすために、昇降可能な照明具を天井面に設置している。この照明具は、制御盤により駆動するウインチと、ウインチに設けられた巻取リールとより構成され、天井面に取り付けられたウインチを制御盤による遠隔操作で駆動して、該ウインチの巻取リングに巻き取られたワイヤーを所定距離引出して、照明具を天井面より床面に下降させて床面でメンテナンスを行い、その後ウインチを駆動してワイヤーを巻取リングに巻き取らせて照明具を元の天井面側に位置させる。
【発明が解決しようとする課題】
【００１１】  しかしながら、近年の屋内施設の空間部は大面積であるために、天井面に設置されている照明具の数が多く、このため開口部のない固定式ネットを使用すると、照明具に対応する部分のネットの取り外し作業に多くの時間を有し、作業効率が悪く、しかも取り外し作業における安全性の面でも問題がある。
【００１２】  また、開口部のある固定式ネットを使用すると、大面積であるために天井面に設置されている照明具の数が従来の施設に比し多く、ネットに設けられる開口部の数も当然多くなる。このため、その開口部にボールが飛び込みやすく照明具を破損したり、ボールがネットに引っ掛かったりしてその処理作業に多くの時間を有するとともに、ネットの耐久性の面でも多くの欠点があった。
【００１３】  即ち、従来の固定式ネットでは、近年の大面積を有する屋内施設には対応することができないという問題点があった。
【００１４】  そこで、本発明は、天井面に設けられた照明具のメンテナンスが容易で安全性及び耐久性の面でも優れ、特に大面積を有する屋内施設に適する屋内のネット等の吊張体及び吊張体の移動装置を提供することを課題とする。
【課題を解決するための手段】
【００１５】本発明の、上記目的を達成するための第１の手段は、各種の目的で使用される屋内施設の天井面及び該天井面に取り付けられた複数の照明具を保護すべく天井面に沿って吊り張りされたネット等の吊張体と、該吊張体の照明具に対応する部分に設けられた開口部と、該開口部を閉塞するための閉塞手段とからなり、閉塞手段が開口部を閉塞する別体のネット体を平行状態に吊り張りしたガイドワイヤーに挿通し、ネット体の一方側をガイドワイヤーに固定し、対向する他方側をガイドワイヤーに並行して吊り張りされたウインチワイヤーに連結し、ウインチワイヤーに設けられたウインチを駆動して同時に複数の開口部を閉塞又と開放すべく構成され、且つ吊張体の全体又は１部が天井面に沿って平行移動すべく構成されていることを特徴とするものである。
【作用及び効果】
【００１８】  本発明の屋内のネット等の吊張体は、各種の目的で使用される屋内施設の天井面及び該天井面に取り付けられた複数の照明具を保護することを目的とする。
先ず、ネットよりなる吊張体を円弧状の天井面に沿って吊り張りする。この際吊張体の天井面に吊り下げられた複数の照明具に対応する部分に開口部が位置するようにする。この開口部は、閉塞手段で閉塞されている。
【００１９】上記閉塞手段が着脱可能な閉塞蓋や筒体、又は開口部を閉塞するに足りる大きさで開口部の上方側近傍又は下方側近傍でスライド移動又は収納移動する平面状のネット体であるために、屋内施設の使用時に開口部よりボールが飛び込むことなく使用することができ、照明具が破損したりボールの回収等の無駄な作業を必要としない。また、照明具のメンテナンスにおいては、閉塞手段を解除して開口部を開放することにより、簡易に照明具のメンテナンス作業を行うことができる。
【００２２】また、屋内のネット等の吊張体の移動装置は、屋内施設の天井面に沿ってネット等の吊張体の全体又はその一部をウインチワイヤーやレールを使用して平行移動し、しかも閉塞手段が開口部を閉塞する別体のネット体を平行状態に吊り張りしたガイドワイヤーに挿通し、ネット体の一方側をガイドワイヤーに固定し、対向する他方側をガイドワイヤーに並行して吊り張りされたウインチワイヤーに連結し、ウインチワイヤーに設けられたウインチを駆動して同時に複数の開口部を閉塞又と開放すべく構成され、別体のネット体で複数の開口部を同時に閉塞又と開放する。
【００２３】  これにより、上記と同様に屋内施設を使用時に開口部よりボールが飛び込むことなく使用することができる。また、照明具のメンテナンス時においては、照明具に設けられた閉塞手段を解除することで開口部を開放して照明具のメンテナンス作業を行うことができる。また、メンテナンスの必要な照明具が多い場合は、ネット等の吊張体を天井面に沿って平行移動して収納して、天井面を開放状態にして照明具のメンテナンスを行うことができる。
【００２４】  このように、本発明の屋内のネット等の吊張体は、天井面及び照明具を保護するとともに、照明具のメンテナンスに自在に対応することができるので、従来のネット等の吊張体の場合に比し格段に作業効率を上げることができる。
【００２５】  また、従来のネット等の吊張体の場合に比し、開口部より自在に照明具をメンテナンスできるので、安全性の面においても格段に向上することができる。
【００２６】  また、昇降する照明具に対しても適用することができるので、あらゆる屋内施設の天井面に設置することができる。特に、ネット等の吊張体の移動式装置を使用する場合は、吊張体のメンテナンスも容易に行うことができる他、収納することで、従来の設置したままのネット等の吊張体に比し利用効率を格段に向上することができる。
【００２７】  以上のように、本発明の屋内のネット等の吊張体及び吊張体の移動装置は、従来のネットに比し、大面積を有する屋内施設に最適に使用することができる。
【本発明の実施の形態】
【００２８】  本発明のネット等の吊張体及び移動装置について図面に沿って説明する。
【００２９】  図１は本発明の一実施例でネット等の吊張体と照明具との関係を示す概略説明図であり、図２は吊張体に設けられた開口部の開口状態を示す概略説明図であり、図３は本発明の他実施例でネット等の吊張体と照明具との関係を示す概略説明図であり、図４は図３の使用状態を示す概略説明図であり、図５は本発明の他実施例の開口部を示す概略説明図であり、図６は開口部の構成を示す概略説明図であり、図７は開口部の構成の他実施例を示す概略説明図であり、図８は移動式の閉塞手段を示す概略説明図であり、図９は図８の閉塞手段を開放した状態を示す概略説明図であり、図１０は天井面に沿ってネット等の吊張体が吊り張りされた状態を示す概略説明図であり、図１１は天井面に沿って移動式の閉塞手段を取り付けた状態を示す概略説明図であり、図１２は昇降式の照明具に閉塞吊張体を取り付けで昇降移動した状態を示す概略説明図であり、図１３は昇降式の照明具に閉塞吊張体を取り付けで昇降移動した状態の他実施例を示す概略説明図であり、図１４はネット等の吊張体の移動装置を示す概略説明図である。
【００３０】  本発明のネット等（シート、又はシートとネットの複合体）の吊張体１は、大面積を有する屋内施設の円弧状の天井面１０に沿って、該天井面１０に複数個吊り下げられた照明具１１の下方側に吊り張りする。吊張体１を吊り張りする方法は、天井面１０にある複数の梁を利用し、該梁に一定の間隔で固定具（図示せず）を取り付け、該固定具に吊張体１を取り付けることで天井面１０に吊り張りする。吊張体１の面積が大きいので、取り付けの強度を図るために固定具に沿ってワイヤーを取り付け、該ワイヤーに吊張体１を挿通することで吊り張りの強度を保つこともできる。
【００３１】  前記吊張体１にはそれぞれ照明具１１の下方側に位置すべく複数の円形状の開口部２が形成されている。開口部２の形成は、バネ、ワイヤー等の金属性又は硬質の樹脂で形成されたリング状の枠２Ａでその開口部の形状を維持（開口部２が広がっていかないように）するとともに、吊張体１全体の強度を維持する。（図６）
【００３２】  前記開口部２には、閉塞手段としてネット又はシートで形成された閉塞蓋３（この閉塞蓋３も上記開口部２と同様にバネ等の金属性又は硬質の樹脂で形成された上記枠２Ａより小径のリング状の蓋枠３Ａを取り付けることで、その形状を維持することも可能である）が一方に複数の凹部を設け、他方に複数の凸部を設けた着脱体や移動具を移動して移動部分で２枚を１つに結合する着脱体等の着脱手段を介して取り付けられている。これにより、着脱手段を容易に解除、又は結合することで開口部への閉塞蓋３を取り外し、及び取り付けを容易に行うことができる。（図１及び図２）
【００３３】  開口部２の閉塞は、上記閉塞蓋３に限定されるものでなく、照明具１１の下方側の部分を二重のネット構造にするとともに、下方のネット１Ａの先端側が上方のネット１Ｂの下端側と着脱するように構成することで、二重のネット構造で上記開口部２と閉塞蓋３を形成することも可能であり、又開口部２の形状も円形に限定するものでなく、例えばコの字状に形成することで開口部２と閉塞蓋３との一端部分２Ｃを共有することで、開口部２の強度を保つことも可能である。（図７）
【００３４】  前記閉塞手段は、着脱手段により着脱される閉塞蓋３に限定されるものでなく、例えば、ネット又はシートで形成された円筒状（長めの）の筒体３Ｂを開口部２の下方側に固定状に取り付けることで、開口部２を直接閉塞してなくても、開口部２に直接飛来するボールの角度が制限されるために、ボールは筒体３Ｂに当接するだけで、開口部２より直接飛び入ることはない。さらに安全を尽くす場合は、筒体３Ｂの先端側を束ねたり、又は別体の紐で結ぶことで直接的に閉塞することも可能である。（図３及び図４）
【００３５】  さらに、閉塞手段は上記閉塞蓋３や筒体３Ｂのような着脱可能な固定式に限定されるものでなく、開口部２を閉塞するに足りる大きさの平面状のネット体３Ｃを開口部２の上方側近傍又は下方側近傍でスライド移動又は収納移動することで、開口部２を閉塞することも可能である。
【００３６】  上記移動式のネット体３Ｃの閉塞移動方法は、それぞれの開口部２の上部側近傍又は下方側近傍に２本のガイドワイヤー４を開口部２を閉塞する間隔を開けて平行状態に吊り張りし、該ガイドワイヤー４間にネット体３Ｃを挿通し、該ネット体３Ｃのガイドワイヤー４に垂直方向の一方側をガイドワイヤー４に固定し、対向する他方側を、ガイドワイヤー４の上方又は下方に並行して吊り張りされたウインチワイヤー５に連結手段を介して連結する。
【００３７】  上記の状態で、ウインチワイヤー５に設けられたウインチ６を駆動してエンドレス状のウインチワイヤー５を移動してネット体３Ｃの他方側を引っ張ってネット体３Ｃをガイドワイヤー４に沿って開口部２を閉塞位置まで吊り張り移動することで、ネット体３Ｃで開口部２を閉塞する。次に、上記ウインチ６を逆方向に駆動することでウインチワイヤー５を逆方向に移動してネット体３Ｃの他方側を引っ張って、開口部２開放する位置（即ち、ネット体３Ｃのウインチワイヤー５に連結された他方側をガイドワイヤー４に固定された一方側に収納移動して開口部２を開放する。（図８又は図９）
【００３８】  閉塞移動方法は上記方法に限定されるものでなく、例えば、ネット体３Ｃに一定の吊り張りした形状を維持させてガイドワイヤー４に挿通状態とし、ガイドワイヤー４の垂直方向の一方側をガイドワイヤー４の、上方又は下方に並行して吊り張りされたウインチワイヤー５に連結手段を介して連結する。この状態でウインチワイヤー５に設けられたウインチ６を駆動することでエンドレス状のウインチワイヤー５を移動しネット体３Ｃをガイドワイヤー４に沿ってスライド移動して開口部２を閉塞し、また、ウインチ６を逆方向に駆動することでウインチワイヤー５を逆方向に移動し、ネット体３Ｃを逆方向にスライド移動して開口部２を開放することも可能である。（図９）
【００３９】  本発明の吊張体１は、従来の移動式の吊張装置２０と併設して設置する。例えば、天井面１０に沿ってウインチワイヤー５Ａを吊り張りし、該ウインチワイヤー５Ａに複数の吊り下げ用ワイヤー２１を連結し、該吊り下げ用ワイヤー２１に間仕切り用のネット２２を取り付けて空間部を間仕切るとともに、天井面１０には吊張体１を吊り張りする。（図１４）
【００４０】  次に、本発明の吊張体１を屋内施設の天井面１０に取り付ける場合について説明する。（図１０）
【００４１】  先ず、大面積を有する屋内施設の円弧状の天井面１０に設けられている梁に沿って一定の間隔で固定具を取り付け、該固定具に吊張体１の該当部分を直接又は連接具を介して間接的に連結し、さらに梁に沿って吊り張りし固定具に挿通したワイヤーを吊張体１に挿通することで、重量を有する吊張体１に天井面１０に吊り張りすることができる。
【００４２】  この際、天井面１０に複数個吊り下げられた照明具１１の下方側に対応してそれぞれの開口部２が位置するように吊り張りする。
【００４３】  次に、それぞれの開口部２に着脱手段を介して閉塞蓋３を取り付けることで、常時は開口部２を閉塞状態とする。この状態で、屋内施設を自由に使用することができる。特にボールを使用する場合であっても、従来のようにボールが照明具１１を直撃することもなく、またボールが天井面１０の吊張体１の内側に入り込むこともなく、安全に使用することができる。
【００４４】  照明具１１のメンテナンスを行う必要がある場合は、例えば高所作業車等を利用してそれぞれの開口部２の着脱手段を解除して閉塞蓋３を開口部２より取り外して開口部２を開放し、その開口部２より自在に照明具１０のメンテナンスを行うことができる。
【００４５】  閉塞手段を上記のような着脱手段を有する閉塞蓋３でなく、それぞれの開口部２の下方側に取り付けられた筒体３Ｂの場合は、該筒体３Ｂの開口より直接照明具１０のメンテナンスを行うことも可能であり、又二重のネット構造の場合は、下方のネット１Ａの先端側を上方のネット１Ｂの下端側と着脱して、照明具１０のメンテナンスを行うことも可能である。
【００４６】  上記閉塞手段は固定式を採用したが、閉塞手段を自動化した場合は、上記と同様に屋内施設の円弧状の天井面１０に吊張体１を吊り張りした後、それぞれの開口部２の上部側近傍又は下方側近傍で、開口部２を閉塞する間隔を開けて、２本のガイドワイヤー４を平行状態に吊り張りする。照明具１１は一定の間隔で取り付けられているので、２本のガイドワイヤー４で複数の開口部２に対応することができる。次に、ガイドワイヤー４間に開口部２よりやや大きめのネット体３Ｃを挿通し、それぞれのネット体３Ｃのガイドワイヤー４に垂直方向の一方側をガイドワイヤー４に固定し、対向する他方側をガイドワイヤー４の上方又は下方に並行してエンドレス状に吊り張りされたウインチワイヤー５に連結手段を介して連結する。（図１１）
【００４７】  この状態で、該ウインチワイヤー５に設けられたウインチ６を駆動することでエンドレス状のウインチワイヤー５を移動してネット体３Ｃの他方側の引っ張ることで、ネット体３Ｃを吊り張り移動することができ、ネット体３Ｃで開口部２を閉塞することができる。常時は開口部２を閉塞した状態で使用する。
【００４８】  次に、照明具１１のメンテナンスが必要な場合は、上記ウインチ６を逆方向に駆動することでウインチワイヤー５を逆方向に移動して、ネット体３Ｃの他方側を固定された一方側に収納移動することで開口部２を開放して、照明具１１のメンテナンスを行う。
【００４９】  特に、昇降可能な照明具１１の場合であれば、ウインチを作動して照明具１１を開放部２より下降させて、床面側で照明具１０のメンテナンスを行った後、再度ウインチを作動して照明具１１を天井面１０に位置させ、上記のようにネット体３Ｃで開口部２を閉塞する。
【００５０】  このように、閉塞手段を自動化し、且つ昇降可能な照明具１１を使用することにより、作業の安全性を格段に向上させ、さらに従来に比し簡易に照明具１０のメンテナンスを行うことができる。
【００５１】  上記昇降可能な照明具１１の場合であれば、該照明具１１の先端側にシート状の閉塞体３Ｄを取り付ける（この際、天井面１０に照明具１１を位置させた状態で、吊張体１の開口部２に閉塞体３Ｄが位置することが必要である）ことで、照明具１１を天井面１０側に位置させた場合に吊張体１の開口部２を閉塞体３Ｄで閉塞することができる。この場合も上記と同様に、照明具１１を天井面１０に位置させた状態が通常の状態であり、この状態で屋内施設を利用する。ボールを使用しても該ボールにより照明具１１が破損されることもなく安全に使用することが可能となる。（図１２）
【００５２】  また、照明具１１のメンテナンスを行う場合は、照明具１１を直接下降させるだけで、床面で照明具１１のメンテナンスを行うことができる。
【００５３】  また、上記屋内施設を野球の練習で使用する場合であれば、閉塞体３Ｄにボールの直撃があり、その部分の破損も考えられるので、さらに安全を確保するために開口部２に筒体３Ｂを取り付けることで、閉塞体３Ｄをさらに保護した状態で使用することも可能である。（図１３）
【００５４】  尚、上記実施例では、吊張体１を天井面１０に固定して使用したが、本発明は吊張体１を固定することに限定するものでなく、吊張体１を移動装置で移動式に構成することも可能である。その一例としては、円弧状の天井面１０の複数の梁に沿って滑車を取り付け、該滑車に複数のウインチワイヤーを吊り張りし、それぞれのウインチワイヤーに平行にガイドワイヤーを吊り張りし、ガイドワイヤーに吊張体１の複数の箇所に設けられたリング等の移動連結具を挿通し、吊張体１の先端側の複数の箇所をウインチワイヤーに連結する。この状態で、ウインチワイヤーをウインクで移動することで、ガイドワイヤーに設けられた吊張体１を円弧状の天井面１０に沿って平行移動し、天井面１０に吊張体１を吊り張りすることができる。
【００５５】  屋内施設を利用しない場合、又は吊張体１を取り替える場合は、ウインチワイヤーを逆方向に移動して吊張体１を天井の一方側に移動して収納、又は吊張体１のメンテナンスを行う。
【００５６】  このように、本発明の吊張体１は照明具１１をボールから保護することが可能であり、近年の大面積を有する屋内施設で使用するのに最適である。
【図面の簡単な説明】
【００５７】
【図１】は本発明の一実施例でネット等の吊張体と照明具との関係を示す概略説明図である。
【図２】は吊張体に設けられた開口図の開口状態を示す概略説明図である。
【図３】は本発明の他実施例でネット等の吊張体と照明具との関係を示す概略説明図である。
【図４】は図３の使用状態を示す概略説明図である。
【図５】は本発明の他実施例の開口部を示す概略説明図である。
【図６】は開口部の構成を示す概略説明図である。
【図７】は開口部の構成の他実施例を示す概略説明図である。
【図８】は移動式の閉塞手段を示す概略説明図である。
【図９】は図５の閉塞手段を開放した状態を示す概略説明図である。
【図１０】は天井面に沿ってネット等の吊張体が吊り張りされた状態を示す概略説明図である。
【図１１】は天井面に沿って移動式の閉塞手段を取り付けた状態を示す概略説明図である。
【図１２】は昇降式の照明具に閉塞吊張体を取り付けで昇降移動した状態を示す概略説明図である。
【図１３】は昇降式の照明具に閉塞吊張体を取り付けで昇降移動した状態の他実施例を示す概略説明図である。
【図１４】はネット等の吊張体の移動装置を示す概略説明図である。
【符号の説明】
【００５８】  １…吊張体、２…開口部、３…開閉蓋、１０…天井面、１１…照明具
【図１】
0004565436.tif 000002
【図２】
0004565436.tif 000003
【図３】
0004565436.tif 000004
【図４】
0004565436.tif 000005
【図５】
0004565436.tif 000006
【図６】
0004565436.tif 000007
【図７】
0004565436.tif 000008
【図８】
0004565436.tif 000009
【図９】
0004565436.tif 000010
【図１０】
0004565436.tif 000011
【図１１】
0004565436.tif 000012
【図１２】
0004565436.tif 000013
【図１３】
0004565436.tif 000014
【図１４】
0004565436.tif 000015